(57)【要約】      （修正有）【課題】幅広い観点から題材を収集することができ、書くべきテーマを容易に見つけることができる書籍を提供する。【解決手段】ユーザ年齢の暦年に生じた出来事を記述する年齢頁１１を複数含んで構成された書籍１において、年齢頁を、上下見開き一方の歴史頁に、暦年に対応する歴史記述を表示し、歴史記述に対応する暦年の自分史記述を他方頁に表示するように構成し、歴史頁に、第１のテーマに関する歴史記述部と、第２のテーマに関する歴史記述部とを並べて表示した。【選択図】図１
2020006531.tif 000002
【特許請求の範囲】
【請求項１】
ユーザ年齢の暦年に生じた出来事を記述する年齢頁（１１）を複数含んで構成された書籍（１）であって、
前記年齢頁（１１）は、上下見開き一方の歴史頁（Ｔ）に、前記暦年に対応する歴史記述を表示し、該歴史記述に対応する暦年の自分史記述（Ｋ）を、見開き他方の頁（Ｂ）に表示するように構成し、
前記歴史頁（１１）に、第１のテーマに関する歴史を記述した第１の歴史記述部（Ｔ１）と、第２のテーマに関する歴史を記述した第２の歴史記述部（Ｔ２）と、を並べて表示したことを特徴とする書籍。
【請求項２】
地域ごとの歴史頁が複数収容された地域別歴史頁収容部と、分野ごとの歴史頁が複数収容された分野別歴史頁収容部と、を備えた書籍であって、（別冊）
袋状のシート材で形成された前記歴史頁（１１）に前記地域別歴史頁収容部から選択された地域歴史頁を挿入することで前記第１の歴史記述部（Ｔ１）を構成すると共に、前記分野別歴史頁収容部から選択された分野歴史頁を前記第２の歴史記述部（Ｔ２）に挿入することで前記第２の歴史記述部（Ｔ２）を構成したことを特徴とする請求項１に記載の書籍。
【請求項３】
前記見開き他方の頁に挿絵画像を挿入することができる画像挿入部（Ｇ）を設け、挿入された挿絵画像（Ｇ）と共に前記自分史記述（Ｋ）が表示されるように構成されたことを特徴とする請求項１又は請求項２に記載の書籍。
【請求項４】
自立可能な表紙部（１２，１３）を備えてなる書籍（１）であって、該表紙部（１３）に画像を挿入して表示できるように構成したことを特徴とする請求項１〜請求項３の何れか１つの請求項に記載の書籍。
【請求項５】
回動端部に透明シートを回動可能に取り付けて構成されたメモページ（１５）を備えたことを特徴とする請求項１〜請求項４の何れか１つの請求項に記載の書籍。
【請求項６】
挿絵として使用することができる画像（Ｇ１、Ｇ２…）を複数収容した挿絵収容部を備え、該挿絵収容部から選択された挿絵画像（Ｇ）を挿入することができる挿絵挿入部を前記透明シートに設けたことを特徴とする請求項５に記載の書籍。
【請求項７】
上下見開き一方の頁（Ｔ０）に歴史記述が表示されており、該歴史記述に対応する自分史情報を見開き他方の頁（Ｂ０）に表示することができるように構成された画面を有し、
ユーザの誕生年に関する情報の入力を促す暦年入力部（１６１ａ）と、複数のテーマの中から前記第１のテーマを選択して入力を促す第１のテーマ入力部と、複数のテーマの中から前記第２のテーマを選択して入力を促す第２のテーマ入力部と、を備えた入力部（１６１）と、
暦年に対応付けられた状態でその時代に関するテーマごとの歴史記述が保持された年表メモリ（１６２）と、
前記暦年入力部（１６１ａ）に入力された暦年と、入力された前記第１の自分史テーマとをキーとして呼び出された第１のテーマ歴史記述（Ｔ１）と、前記暦年入力部（１６１ａ）に入力された暦年と、入力された前記第２の自分史テーマとキーとして呼び出された第２のテーマ歴史記述（Ｔ２）と、を並列させて前記歴史表示部（Ｔ０）に記述する記述手段（１６３）と、該記述手段（１６３）によって作成された時代毎の年齢頁（１１）を含む書籍（１）の原稿を作成するための原稿作成手段（１６７）と、を備えた書籍作成システム（１６０）によって作成されたことを特徴とする請求項１〜請求項６の何れか１つの請求項に記載の書籍。
【請求項８】
上下見開き一方の頁（Ｔ０）に歴史記述が表示されており、該歴史記述に対応する自分史情報を見開き他方の頁（Ｂ０）に表示することができるように構成された画面を有し、
ユーザの誕生年に関する情報の入力を促す暦年入力部（１６１ａ）と、複数のテーマの中から前記第１のテーマを選択して入力を促す第１のテーマ入力部と、複数のテーマの中から前記第２のテーマを選択して入力を促す第２のテーマ入力部と、を備えた入力部（１６１）と、
暦年に対応付けられた状態でその時代に関するテーマごとの歴史記述が保持された年表メモリ（１６２）と、
前記暦年入力部（１６１ａ）に入力された暦年と、入力された前記第１の自分史テーマとをキーとして呼び出された第１のテーマ歴史記述（Ｔ１）と、前記暦年入力部（１６１ａ）に入力された暦年と、入力された前記第２の自分史テーマとキーとして呼び出された第２のテーマ歴史記述（Ｔ２）と、を並列させて前記歴史表示部に記述する記述手段（１６３）と、該記述手段（１６３）によって作成された時代毎の年齢頁（１１）を含む書籍（１）の原稿を作成するための原稿作成手段（１６７）と、を備えたことを特徴とする書籍作成システム。
【請求項９】
前記年表メモリ１６２は、地域ごとの歴史情報が複数収容された地域別年表メモリ（１６２ｅ）と、分野ごとの歴史情報が複数収容された分野別年表メモリ（１６２ｇ）と、を備え、
前記入力部（１６１）は、前記地域別年表メモリ（１６２ｅ）から選択された地域歴史情報を前記第１の自分史テーマとして入力し、前記分野別年表メモリ（１６２ｇ）から選択された分野歴史情報を前記第２の自分史テーマとして入力するように構成されたことを特徴とする請求項８に記載の書籍作成システム。
【請求項１０】
前記歴史記述に対応する暦年の自分史記述（Ｋ０）を前記見開き他方の頁（Ｂ０）に表示するように構成された画面を有する書籍作成システムであって、
挿絵として使用することができる画像Ｓを複数保持する挿絵メモリ（１６２ｈ）を設け、前記見開き他方の頁（Ｂ０）に表示すべき挿絵画像（Ｇ０）の選択を促す挿絵入力部（１６１ｈ）を設けたことを特徴とする請求項８又は請求項９に記載の書籍。
【請求項１１】
前記挿絵メモリ（１６２ｈ）は、複数の背景画像を保持する背景メモリと、複数の素材画像を保持する素材メモリと、を含んで構成され、
前記挿絵入力部は、前記背景画像の選択を促す背景入力部と、該背景画像の所望の位置に前記素材を表示させる素材入力部とを備えたことを特徴とする請求項９に記載の書籍。
【発明の詳細な説明】
【技術分野】
【０００１】
本発明は、自分史（自叙伝・家族史・社史など）を作成する際に使用する書籍に関し、特に、書くべき題材を容易に見つけることができる書籍及びそれを作成するためのシステムに関する。
【背景技術】
【０００２】
自分史を執筆する際に使用するノートとして、ユーザ年齢の暦年に生じた出来事を記述する年齢頁を複数含んで構成された書籍が提案されている（特許文献１を参照）。
この書籍は、左右見開き一方の頁に、暦年に対応する歴史記述を表示し、該歴史記述に対応する暦年の自分史記述を見開き他方の頁に表示するように年齢頁を構成することで、時代背景を考察しながら自身の歴史を記述できるようにしている。
【特許文献１】実用新案登録第３２１４６２５号公報
【発明の開示】
【発明が解決しようとする課題】
【０００３】
しかし、個人や法人の歴史は様々な文脈で語られる必要があり、内容の深い自分史を執筆するには、幅広い観点から題材を収集する必要がある。
そこで、本発明は、幅広い観点から題材を収集することができ、書くべきテーマを容易に見つけることができる書籍及びそれを作成するためのシステムの提供を目的とする。
【課題を解決するための手段】
【０００４】
上記課題を解決するために、本発明は、ユーザ年齢の暦年に生じた出来事を記述する年齢頁を複数含んで構成された書籍であって、前記年齢頁は、上下見開き一方の歴史頁に、前記暦年に対応する歴史記述を表示し、該歴史記述に対応する暦年の自分史記述を、見開き他方の頁に表示するように構成し、前記歴史頁に、第１のテーマに関する歴史を記述した第１の歴史記述部と、第２のテーマに関する歴史を記述した第２の歴史記述部と、を並べて表示したことを特徴とするものである。
【０００５】
地域ごとの歴史頁が複数収容された地域別歴史頁収容部と、分野ごとの歴史頁が複数収容された分野別歴史頁収容部と、を備えた書籍であって、袋状のシート材で形成された前記歴史頁に前記地域別歴史頁収容部から選択された地域歴史頁を挿入することで前記第１の歴史記述部を構成すると共に、前記分野別歴史頁収容部から選択された分野歴史頁を前記第２の歴史記述部に挿入することで前記第２の歴史記述部を構成してもよい。
また、前記見開き他方の頁に挿絵画像を挿入することができる画像挿入部を設け、挿入された挿絵画像と共に前記自分史記述が表示されるようにしてもよい。
【０００６】
また、自立可能な表紙部を備えてなる書籍であって、該表紙部に画像を挿入して表示できるようにしてもよい。
また、回動端部に透明シートを回動可能に取り付けて構成されたメモページを備えていてもよい。
また、挿絵として使用することができる画像を複数収容した挿絵収容部を備え、該挿絵収容部から選択された挿絵画像を挿入することができる挿絵挿入部を前記透明シートに設けてもよい。
【０００７】
上下見開き一方の頁に歴史記述が表示されており、該歴史記述に対応する自分史情報を見開き他方の頁に表示することができるように構成された画面を有し、ユーザの誕生年に関する情報の入力を促す暦年入力部と、複数のテーマの中から前記第１のテーマを選択して入力を促す第１のテーマ入力部と、複数のテーマの中から前記第２のテーマを選択して入力を促す第２のテーマ入力部と、を備えた入力部と、暦年に対応付けられた状態でその時代に関するテーマごとの歴史記述が保持された年表メモリと、前記暦年入力部に入力された暦年と、入力された前記第１の自分史テーマとをキーとして呼び出された第１のテーマ歴史記述と、前記暦年入力部に入力された暦年と、入力された前記第２の自分史テーマとキーとして呼び出された第２のテーマ歴史記述と、を並列させて前記歴史表示部に記述する記述手段と、該記述手段によって作成された時代毎の年齢頁を含む書籍の原稿を作成するための原稿作成手段と、を備えた書籍作成システムによって作成されたことを特徴とするものであってもよい。
【０００８】
本発明に係る書籍作成システムは、上下見開き一方の頁に歴史記述が表示されており、該歴史記述に対応する自分史情報を見開き他方の頁に表示することができるように構成された画面を有し、ユーザの誕生年に関する情報の入力を促す暦年入力部と、複数のテーマの中から前記第１のテーマを選択して入力を促す第１のテーマ入力部と、複数のテーマの中から前記第２のテーマを選択して入力を促す第２のテーマ入力部と、を備えた入力部と、暦年に対応付けられた状態でその時代に関するテーマごとの歴史記述が保持された年表メモリと、前記暦年入力部に入力された暦年と、入力された前記第１の自分史テーマとをキーとして呼び出された第１のテーマ歴史記述と、前記暦年入力部に入力された暦年と、入力された前記第２の自分史テーマとキーとして呼び出された第２のテーマ歴史記述と、を並列させて前記歴史表示部に記述する記述手段と、該記述手段によって作成された時代毎の年齢頁を含む書籍の原稿を作成するための原稿作成手段と、を備えたことを特徴とする。
【０００９】
この場合、前記年表メモリは、地域ごとの歴史情報が複数収容された地域別年表メモリと、分野ごとの歴史情報が複数収容された分野別年表メモリと、を備え、
前記入力部は、前記地域別年表メモリから選択された地域歴史情報を前記第１の自分史テーマとして入力し、前記分野別年表メモリから選択された分野歴史情報を前記第２の自分史テーマとして入力するように構成されたものであってもよい。
また、前記歴史記述に対応する暦年の自分史記述を前記見開き他方の頁に表示するように構成された画面を有する書籍作成システムであって、挿絵として使用することができる画像を複数保持する挿絵メモリを設け、前記見開き他方の頁に表示すべき挿絵画像の選択を促す挿絵入力部を設けたことを特徴とするものであってもよい。
【００１０】
また、前記挿絵メモリは、複数の背景画像を保持する背景メモリと、複数の素材画像を保持する素材メモリと、を含んで構成され、前記挿絵入力部は、前記背景画像の選択を促す背景入力部と、該背景画像の所望の位置に前記素材を表示させる素材入力部とを備えていてもよい。
【発明の効果】
【００１１】
本発明に係る書籍は、上下見開きの書籍の一方の頁に複数の歴史記述部を並べて表示したので、幅広い観点から自分史の題材を収集することができる。そのため、書くべきテーマを見つけやすくなり、内容の深い自分史を執筆することができる。
請求項２に係る書籍は、地域別歴史頁収容部と分野別歴史頁収容部を設け、夫々の収容部から選択された歴史記述を１つの歴史頁に並べて表示したので、自身との関連の深いテーマについて多くの題材を得ることができる。そのため、記憶の想起が促進されると共に、自身の過去に対して深い考察が可能となる。
【００１２】
請求項３に係る書籍は、前記見開き他方の頁に挿絵画像を挿入することができる画像挿入部を設け、その挿絵画像と共に前記自分史記述が表示されるようにしたので、より記憶の想起が促進される。自分史ライターが聞き書きする場合は、その挿絵画像に基づいて質問を発することができるので、多くの題材を見つけ出すことができる。
請求項４に記載の書籍は、自立可能な表紙部に画像を挿入することができるようにしたので、その表示部を額縁（写真立て）として機能させることができる。表紙の画像を眺めることができるように机上に載置しておくことで、記憶の想起が促進される。
【００１３】
請求項５に係る書籍は、回動端部に透明シートを回動可能に取り付けて構成されたメモページを有するので、自分史ライターが他者の自分史を聞き書きする際に、自分史の題材となりそうな情報を記録しておくことができる。メモページを透明シートで構成したので、シートの下に表れたキーワードに関連づけて効率的にメモをとることができる。
請求項６に係る書籍は、挿絵として使用することができる画像を複数用意したので、「あなたの住んでいたところに似た風景はありませんか？」と自分史ライターが発することで、記憶想起を促すことができる。また、自叙伝を執筆する際にはこの画像を挿絵として利用することもできる。
【００１４】
請求項７に係る書籍は、上下見開き一方の頁に複数のテーマの歴史記述が表示され、それに対応する自分史情報を見開き他方の頁に表示できるように構成された画面を有するシステムを用いて年齢頁を作成するので、幅広い観点から記述された内容の深い自分史を作成することができる。
請求項８に係る書籍作成システムは、書籍様の画面を有するシステムにおいて、ユーザの誕生年に関する暦年と、夫々複数のテーマの中から選択された第１のテーマと第２のテーマを入力することで、それらの情報をキーとして呼び出された第１及び第２のテーマ歴史記述を並列させて画面上に表示するようにしたので、幅広い観点から自分史の題材を収集することができる書籍を容易に作成することができる。
【００１５】
請求項９に係る書籍作成システムは、自身の居住地域と自身の関連分野との関連で歴史頁に表示される歴史記述をカスタマイズすることができるで、内容の深い自分史作成を作成することができる。
請求項１０に係る書籍作成システムは、予め用意された複数の画像の中から見開き他方の頁（自分史頁）に表示すべき挿絵を選択するので、挿絵の入手が容易になり、記憶の想起を促進することもできる。
請求項１１に係る書籍作成システムは、挿絵メモリを、複数の背景画像を保持する背景メモリと、複数の素材画像を保持する素材メモリと、によって構成したので、所望の画像を選択して組み合わせて挿絵画像を作成することができる。これにより、より創作性の高い挿絵とすることができる。
【図面の簡単な説明】
【００１６】
【図１】本発明に係る書籍を示す説明図である。
【図２】上記書籍のメモページを示す説明図である。
【図３】本発明の書籍作成システムが適用される出版システムを示すブロック図である。
【図４】上記書籍作成システムの第１実施例としてのダブルシステムのトップページを示す説明図である。
【図５】上記ダブルシステムの説明図であり、（ａ）は構成を示すブロック図、（ｂ）は年表メモリの構造を示すテーブル、（ｃ）は画面の遷移図である。
【図６】上記書籍作成システムの第２実施例としてのトリプルシステムの説明図であり、（ａ）は構成を示すブロック図、（ｂ）は年表メモリの構造を示すテーブル、（ｃ）は画面の遷移図である。
【図７】上記書籍作成システムの第３実施例としてのエディターシステムの説明図であり、（ａ）は構成を示すブロック図、（ｂ）は年表メモリの構造を示すテーブル、（ｃ）は画面の遷移図である。
【図８】上記書籍作成システムの第４実施例としてのアルバムシステムの説明図であり、（ａ）は構成を示すブロック図、（ｂ）は年表メモリの構造を示すテーブル、（ｃ）は画面の遷移図である。
【図９】上記実施例の変形例としての家族史作成システムの説明図であり、（ａ）はトップページ、（ｂ）は家系図作成画面、（ｃ）は前記家系図作成画面に親情報が入力される状態を示す。
【発明を実施するための形態】
【００１７】
図１に示す書籍１は、自分史の原稿を作成するにあたり、その内容整理のためのノート（自分史帳）として提供されるものであり、ユーザ年齢の暦年に生じた出来事を記述する年齢頁１１を複数含んで構成される。
誕生期、幼児期、子ども期・・・と、それぞれの年齢ごとの年齢頁１１は、見開き一方の頁Ｔに、暦年に対応する歴史記述を表示し、歴史記述に対応する暦年の自分史記述を、見開き他方の頁Ｔに表示している。頁のサイズはＡ４判など市販のコピー用紙に合わせて設計されるが、本発明の書籍１は多様なレイアウトを可能とする書籍作成システムを使用して作成されたものである。
以下、本発明に係る書籍作成システムと、それによって作成される書籍１の実施例を説明する。
【００１８】
図１は本発明に係る書籍作成システムによって作成される書籍１の一例である。
この書籍１は、複数の年齢頁１１を表裏表紙部１２，１３で綴じて作成される。表紙部１２には、書籍を自立させるための脚部１４が設けられている。
この脚部１４は、表紙部の回動端部に透明シート１５を回動可能に取り付けて構成されており、メモページとしての機能をも有する。即ち、袋状の透明シート１５の中に挿絵として使用することができる画像Ｇを複数収容することで、この書籍１を起立させるための脚部１４を構成し、この収容部（袋状の透明シート１５）の中から選択された画像Ｇを表面にして書籍１を起立させることで、写真立てとして利用できるようにしている。メモページとしての脚部１４を透明シート１５で構成したことで、その上からホワイトボード用のペンで吹き出しを入れたり、素材を張り付けたりして創作性の高い挿絵画像を作成することができる。その挿絵画像をコピーして自身の自分史の挿絵とする。挿絵とされる画像を机上に飾っておくことで、当時がイメージし易くなる。
【００１９】
年齢頁は、上下見開き一方の歴史頁Ｔに、前記暦年に対応する歴史記述を表示し、該歴史記述に対応する暦年の自分史記述を、見開き他方の頁（下側頁Ｂ）に表示するように構成されている。本実施例では、上側の歴史頁に、第１のテーマに関する歴史を記述した第１の歴史記述部Ｔ１と、第２のテーマに関する歴史を記述した第２の歴史記述部Ｔ２とを並べて表示した。下側の自分史頁Ｂには、当該暦年に対応する時代の自身の様子を示すコメント部Ｋと当時の写真などの挿入画像が表示される画像挿入部Ｇからなる１以上の自分史記述部Ｂ１、Ｂ２・・・が設けられている。
【００２０】
この書籍は、図３に示す出版システム１００において採用される書籍作成システム１６０を利用して作成されている。
この出版システム１００は、作成途中に作者に不測の事態が生じた場合であっても確実に出版されるようにするために開発されたものであり、時間をかけてじっくりと自分史を作成したいと思う人をユーザとする。
即ち、この出版システムは、出版しようと思う作品（自分史の原稿）の寄託を促す受注システム１１０と、作品提供に関わる情報を保持するデータベース１２０と、作品の提供時期を判定するための時期判定信号Ｓ１を所定期間ごとに送出する時期判定信号送出システム１３０と、その信号が受信されなかったことを示す未受信信号Ｓ２を受けた際に作品提供を指示する提供指示システム１４０と、宛名情報に従って作品を提供する提供システム１５０と、作品の創作を支援する支援システム１６０を備えて構成される。この支援システムとして本発明に係る書籍作成システム１６０が採用されている。
【００２１】
以下、本発明に係る書籍作成システム１６０を、図４を参照して説明する。
図４は、本システム１６０のトップページの画面を示す説明図である。トップページでは、自分史の主人公の生まれた年を選択するための暦年入力部１６１ａと、作成しようとする書籍のスタイルの選択を求めるスタイル選択部１６１ｂが設けられている。スタイル選択部１６１ｂは、例えば、フォトアルバムとしての書籍を作成するためのアルバムシステム、２つの分野の歴史記述を参考にしながら自分史帳を作成するためのダブルシステム、日本史・地方史・業界史の３つの分野を参考にしながら自分史帳を作成するためのトリプルシステム、日本史・地方史・業界史の歴史記述をコピーして編集することで自分史原稿を作成することができるエディターシステム等、所望の作成スタイルを選択できるようになっている。なお、上記実施例に係る書籍はダブルシステムを使用して作成されたものである。
【００２２】
本発明の書籍作成システムの第１実施例として、壁に掛けてカレンダー状に掲示したり、机上に載置して写真立てとして利用するのに適したダブルシステム１６０について以下に説明する。
自分史作成支援システムを提供するＷＥＢサイトのトップページにおいて、暦年入力部１６１ａを入力した後、スタイル選択部１６１ｂのダブルシステムを選択すると、図４（ｂ）の画面が現れる。この画面は、書籍１の歴史頁１１の一方（左側）に表示させたいテーマを複数のテーマの中から選択させるための第１のテーマ入力部１６１ｃと、他方（右側）に表示させたいテーマを選択させるための第２のテーマ入力部１６１ｄと、を備えて構成される。
【００２３】
確定ボタン（作成する）をクリックすれば、これらの入力部に入力された情報に基づいて処理が施され、図４（ｃ）の画面が現れる。この画面は、冊子状の背景の上側頁Ｔ０に歴史記述が表示され、歴史記述に対応する自分史情報を下側頁Ｂ０できるように構成されたものである。
上側の歴史頁（Ｔ０）には、第１のテーマに関する歴史を記述した第１の歴史記述部Ｔ１と、第２のテーマに関する歴史を記述した第２の歴史記述部Ｔ２と、を並べて表示される。下側の自分史頁（Ｂ０）には、当該暦年に対応する時代の自身の様子を示すコメント部Ｋ０と当時の写真などの自分史画像が表示される画像挿入部Ｇ０からなる自分史記述部と、この自分史記述部を追加するためのレイアウト選択部Ｒが設けられている。
【００２４】
この画面を表示するためのシステムを、図５を参照して説明する。ユーザの誕生年・書籍スタイル・テーマの選択を促す入力部１６１と、歴史記述が保持された年表メモリ１６２と、歴史記述を記述するための記述手段１６３と、自分史情報が入力される自分史入力部１６４と、自分史頁用の原稿を作成するための自分史記述手段１６５・表紙デザイン選択部１６６・全頁作成部１６７と、印刷レイアウトを選択させるための印刷情報入力部１６８と、その情報に基づいて印刷用ＰＤＦを作成する原稿作成部１６９と、によってダブルシステム１６０は構成されている。
【００２５】
入力部１６１は、ユーザの誕生年に関する情報の入力を促す暦年入力部１６１ａと、書籍スタイルを選択させるためのスタイル選択部１６１ｂと、複数のテーマの中から第１のテーマを選択して入力を促す第１テーマ入力部１６１ｃと、第２のテーマを選択して入力を促す第２のテーマ入力部１６１ｄと、によって構成される。
年表メモリ１６２は、図５（ｂ）に示すように、暦年に対応付けた状態でその時代に関するテーマごとの歴史記述（ＰＤＦファイル）を保持する。トップページの暦年入力部１６１ａにおいて選択された誕生年（暦年）に、当該暦年に生じた出来事を記載したテーマごとの歴史頁が夫々リンクされており、誕生時（０歳時）の頁、幼児期（５歳時）の頁・・・と、書籍に含めるべき頁を選択することで、ブラウザの機能により、その暦年（誕生年＋年齢）のページが表示されるようになっている。
【００２６】
即ち、記述手段１６３は、誕生年入力部１６１に入力された暦年をキーとして、年表メモリから歴史記述を呼び出して歴史頁（Ｔ０）に記述するが、誕生年以降は、誕生年Ｙに年齢ｙを加算して得られた暦年をキーとして、年表メモリ１６２から歴史記述を呼び出し、該当する年齢頁に出力するようになっている。
この際、暦年入力部１６１ａに入力された年と第１テーマ入力部１６１ｂに入力されたテーマとをキーとして呼び出された情報を、第１の歴史記述部Ｔ１に表示し、同暦年と第２のテーマ入力部１６１ｃへの入力テーマとキーとして呼び出された情報を第２の歴史記述部Ｔ２に、並列させて表示するように設計されている。
【００２７】
自分史記述手段１６５は、コメント部Ｋ０、画像挿入部Ｇ０及びレイアウト選択部Ｒにおいて入力された自分史情報１６４に基づいて、自分史頁用の原稿データを作成する。
表紙デザイン選択部１６６は、表紙デザインのサンプルを表示して選択を促す。頁作成部１６７は、表表紙部と自分史頁部からなる下側頁Ｂ０に関する情報と、歴史頁部と裏表紙部からなる上側頁Ｔ０に関する情報とに基づいて全頁情報を表示する。
【００２８】
印刷情報入力部１６８は、Ａ４判・Ａ５判などの冊子形態を選択させ、その冊子形態を有する書籍を作成するための原稿データを作成しＰＤＦ表示する。これによって、２つのテーマ歴史記述部Ｔ１とＴ２が並列して表示された歴史頁を見開き上頁に、その時代の自分史情報が表示された自分史頁を見開き下頁とする書籍を作成するための印刷情報が作成され、この情報をプリンタに送出することで、用紙に所望の印刷が施される。
【００２９】
次に、日本史・地方史・業界史の３分野を参考にしながら自分史帳を作成するためのトリプルシステムについて、図６を参照して説明する。なお、ダブルシステムと同一構成のものは同一の符号を付すことで説明を省略する。
この書籍作成システムも、ユーザの誕生年・書籍スタイル・テーマの選択を促す入力部１６１’と、年表メモリ１６２’と、入力部１６１’に入力された自分史テーマとをキーとして呼び出された歴史記述を並列させて記述する記述手段１６３’と、自分史入力部１６４と、自分史記述手段１６５と、表紙デザイン選択部１６６と、頁作成部１６７と、印刷情報入力部１６８と、原稿データ作成部１６９とによって構成される。
【００３０】
入力部１６１’は、暦年入力部１６１ａ、スタイル選択部１６１ｂに加えて、表示させるべき地方史を選択するエリア情報入力部１６１ｅと、基本とすべき教科書の提供者を選択する教科書選択部１６１ｆと、表示すべき分野の業界史を表示させるジャンル情報入力部１６１ｇと、挿絵入力部１６１ｈと、によって構成される。
年表メモリ１６２’は、地域ごとの歴史情報が複数収容された地域別年表メモリ１６２ｅと、基本とすべき教科書情報（教科書の提供者名など）が複数保持された教科書メモリ１６２ｆと、分野ごとの歴史情報が複数収容された分野別年表メモリ１６２ｇと、挿絵として使用することができる画像を複数保持する挿絵メモリ１６２ｈによって構成されている。
【００３１】
前記挿絵メモリ１６２ｈは、複数の背景画像を保持する背景メモリと、複数の素材画像を保持する素材メモリとによって構成されており、を含んで構成されており、挿絵入力部１６１ｈにおいて、背景画像を選択し、その背景画像の所望の位置に素材を貼り付けることで挿絵画像を作成し、それが画像挿入部Ｇ０に表示されるようになっている。
記述手段１６３’は、選択されたテーマ情報をキーとして、年表メモリ１６２’から該当テーマの誕生年における歴史頁を取り出し、歴史頁部（Ｔ０）に表示するが、本実施例では、地域別年表メモリ１６２ｅから呼び出されたエリアの歴史情報を第１テーマとして左側表示部Ｔｅに出力し、教科書メモリ１６２ｆから呼び出された教科書情報を中央の表示部Ｔｆに出力し、分野別年表メモリ１６２ｇから呼び出されたジャンルの歴史情報を第２のテーマとして右側表示部Ｔｇに出力する。
【００３２】
これらの歴史記述部（Ｔｅ，Ｔｆ，Ｔｇ）の下に、その年の様子を示した画像（写真Ｓや絵画など）を使用可能な挿絵として連続的に表示し、使用したい画像を自分史情報入力部（画像挿入部Ｇ０）に取り込めるようにしている。
次に、エディターシステム１６０”を、図７を参照して説明する。このシステムは、教科書となる歴史（日本史）、地方史、業界史の３つの観点において作成された歴史記述のテキストデータで表示し、その中の必要部分をコピーして、自分史情報としてコメント入力部（ＫＯ）に貼り付けることで、自分史原稿を作成できるようにしたものである。ダブルシステム及びトリプルシステムと同一構成のものは同一の符号を付すことで説明を省略する。
【００３３】
本実施例の年表メモリ１６２”には、暦年に対応付けた状態でその時代に関するテーマごとの歴史記述がテキストファイルとして保持されている。そして、トップページにおいて選択された暦年に、そのテキストファイルをリンクさせることで、歴史頁の各表示部に、テーマごとの歴史がテキスト表示されるようになっている。
即ち、歴史頁は、歴史記述をコピー可能な文字データとして表示するテキスト部Ｘと、コピー可能な画像データとして表示するコピー画像部Ｉと、キーワードが表示されるキーワード部Ｗを含んで構成されており、テキスト部Ｘとコピー画像部Ｉの情報をそのままコピーして、自分史情報入力部１６４”において入力できる（コメント部Ｋ０及び画像挿入部Ｇ０に貼り付ける）ようになっている。
【００３４】
キーワード部Ｗには、暦年に対応させてその年のキーワードが表示されており、所定のキーワードにリンク表示が付されている。そのキーワードをクリックすることで、そのキーワードの解説文がテキスト表示したポップアップ画面（ポップアップ解説Ｐ）が現れ、同様に必要な部分をコピーして自分史情報入力部（Ｋ０、Ｇ０）に貼り付けることができる。これらの歴史記述部の下に設けられた挿絵紹介部Ｈの画像（Ｓ）もコピー可能となっており、画像挿入部Ｇ０に貼り付けることで、手軽に自分史頁を作成できるようにしている。そして、コメント表示部Ｋ０に対する画像挿入部Ｇ０の位置を（上下又は左右に）移動できるようにしている。
【００３５】
画面の上方には、歴史頁に表示されるテーマは変更するためのテーマ変更ボタンが設けられており、このボタンをクリックすることで、テーマ情報入力部１６１ｅ、１６１ｆ、１６１ｇがポップアップ表示され、選択されたテーマの歴史記述に変更されるようになっている。
このようにして所望のレイアウトの自分史頁を作成した後、表紙情報を入力すれば、全頁作成部１６７”において、表紙用のＰＤＦファイルと、自分史頁用のＰＤＦファイルのみが、別個に出力されるようになっている。
【００３６】
所望サイズに印刷するための印刷情報を入力し、表紙用のＰＤＦファイルは表紙用の用紙に印刷し、自分史用のＰＤＦファイルは本文用の用紙に印刷することで、より完成度の高い書籍が完成する。
次に、フォトアルバムとしての書籍２を作成するためのアルバムシステム２６０を、図８を参照して説明する。このシステムは、左右見開きの書籍を作成するためのもので、入力画面において暦年を選択してアルバムシステムが選択されると、あらかじめ設定されたデフォルトテーマの歴史記述が左側に表示された誕生年の頁が表れるようになっている。
【００３７】
このページの上方には、表示テーマを変更するための変更ボタンが設けられており、変更ボタンをクリックすることで、テーマの選択を求めるポップアップ画面が表示され、所望のテーマを選択することで、画面の表示が入れ替わるようになっている。
右側の自分史頁にはデフォルトの写真（画像Ｇ）が表示された画像挿入部とコメント挿入部（Ｋ）が表示されており、それらをコピーして、所望の位置に貼り付けることで、任意の場所に写真とコメントを表示できるようにしている。画像挿入部の形状は任意の形に画像をトリミングしたり、拡大縮小することができる。コメント挿入部（Ｋ）も任意の形状を選択できるようになっており、その中に表示される文字情報を入力できるようにしている。
【００３８】
右側の自分史頁を増やしたい場合は、ページ追加ボタンをクリックすることで、見開き左右に自分史頁を設けた追加ページが表れる、この追加ページにもデフォルト画像Ｇとコメント挿入部（Ｋ）が表示されており、同様にコピーして貼り付けることで、画像やコメントを追加することができる。
そして、「次時代へ」のボタンをクリックすることで、見開き左側に歴史頁、右側に写真等を貼り付けるための自分史頁が表れる。これを続けて、最後の頁（現在の頁）に来たところで、表紙のレイアウト（タイトルの位置や背景画像）を選択し、用紙の選択などの印刷情報を入力することで原稿データが作成され、所望の用紙がセットされたプリンタにて印刷して製本することでフォトアルバムが完成する。
【００３９】
なお、この書籍作成システムに家族史作成バージョンを加えてもよい。
この場合、トップページにおいて、家族史作成の有無を選択させる家族選択部１６１ｋを設け、家族史作成が選択された場合は、図９に示す家系図作成画面が現れる。
画面の中心には、自身の生れ年（入力画面において選択された暦年）が表示された四角形状の入力部が表れる。この中心の入力部（家族選択部１６１ｋ）の上方に親の情報（名前と生れ年）を入力するための親情報入力部１６１ｍ、下方に子どもの情報を入力するための子情報入力部１６１ｎ、右側に兄弟情報を入力するための兄弟情報入力部１６１ｑ、左側に配偶者の情報を入力するための配偶者情報入力部１６１ｒ、それ以外の関係者の情報を入力するための関係者情報入力部１６１ｓが現れており、それをクリックすることで、その人の名前と生れ年を入力できるようになっている。
【００４０】
このようにして入力された生れ年の中から最も小さい値（古い時代）の暦年に相当する歴史記述を年表メモリのなかから呼び出して、第１頁目に表示する。以下、上記の同様のシステムで家族史としての書籍が完成される。
本システムによって印刷された用紙をホチキス止め、リングバインダ等の各種の製本手段を用いて冊子状の書籍とするのであるが、この際、袋状の地域別歴史頁収容部と分野別歴史頁収容部を設け、夫々の収容部から選択された歴史記述を１つの歴史頁に並べて表示できるようにしてもよい。この場合、年齢頁を袋状の透明シートで構成し、その中に各年代の歴史頁を挿入することで、冊子状にすることができる。
【産業上の利用可能性】
【００４１】
本発明は、あらゆる分野の書籍を作成する際のシステムとして利用することができる。
【符号の説明】
【００４２】
１…書籍
１１…年齢頁
１２、１３…表紙部
１４…脚部
１５…透明シート
Ｔ１、Ｔ２…歴史記述部
Ｂ１、Ｂ２…自分史記述部
Ｋ…コメント部
Ｇ…画像部
Ｒ…レイアウト選択部
Ｘ…テキスト部
Ｉ…コピー画像部
Ｗ…キーワード部
１００…出版システム
１６０…書籍作成システム
１６１ａ…暦年入力部
１６１ｂ…スタイル選択部
１６１ｃ…第１のテーマ入力部
１６１ｄ…第２のテーマ入力部
１６１ｅ…エリア情報入力部
１６１ｆ…教科書選択部
１６１ｇ…ジャンル情報入力部
１６１ｈ…挿絵入力部
１６１ｋ…家族選択部
１６１ｍ…親情報入力部
１６１ｎ…子情報入力部
１６１ｑ…兄弟情報入力部
１６１ｒ…配偶者情報入力部
１６１ｓ…関係者情報入力部
１６２…年表メモリ
１６３…記述手段
１６４…自分史入力部
１６５…自分史記述手段
１６６…表紙デザイン選択部
１６７…全頁作成部
１６８…印刷情報入力部
１６９…原稿作成部
２６０…アルバムシステム（書籍作成システム）
【図１】
2020006531.tif 000003
【図２】
2020006531.tif 000004
【図３】
2020006531.tif 000005
【図４】
2020006531.tif 000006
【図５】
2020006531.tif 000007
【図６】
2020006531.tif 000008
【図７】
2020006531.tif 000009
【図８】
2020006531.tif 000010
【図９】
2020006531.tif 000011